(57)【要約】【課題】  流体を低いところに移動する際、大掛かりな工事を実施して水路を築いたり、動力ポンプを使用して送水するなど無駄な労力やエネルギーを消費したりしていた。  小水力発電においては、取水装置、送水装置を建築固定設営するなどおおがかりな工事が必要であり、既存のダム等を利用することが容易ではなかった。また、災害時等緊急の際に発電機を移動させたり、山間部等の無動力地帯での発電が容易でなかった。【解決手段】  以上の課題を解決するために、取水管と排水管に空気出入装置、連結装置及び止水通水装置を系統連結することによってサイホン管を容易に作動させ、送水を開始する。同サイホン管に発電用回転体を系統連結して発電するものであり、連結することによって容易に組み立てることができ、設置工事も簡易となり、移動も容易となる。また、高低差の大きい場所では、管を連結することによって水力を高めることができる。【選択図】図３
2014080839.tif 000002
【特許請求の範囲】
【請求項１】
取水管及び排水管からなる一連のサイホン管に空気出入装置を設けることを特徴とする送水装置。
【請求項２】
取水管及び排水管からなる一連のサイホン管に空気出入装置を設けることを特徴とする請求項１の装置の各装置にサイホン管として系統連結できる連結装置を設ける。
【請求項３】
取水管及び排水管からなる一連のサイホン管に空気出入装置を設けることを特徴とする請求項１の装置にセンサー装置を設ける。
【請求項４】
取水管及び排水管からなる一連のサイホン管に空気出入装置を設けることを特徴とする請求項１の装置の管に止水通水装置を設ける。
【請求項５】
取水管及び排水管からなる一連のサイホン管に空気出入装置を設けることを特徴とする請求項１の装置の注水管の注水口にフロート式注水装置を設ける。
【請求項６】
取水管及び排水管からなる一連のサイホン管に空気出入装置を設けることを特徴とする請求項１の装置に請求項２の連結装置、請求項３のセンサー装置、請求項４の止水通水装置及び請求項５のフロート式注水装置を設け、同一連の装置に発電用回転体装置を設けて系統連結する発電装置。
【発明の詳細な説明】
【技術分野】
【０００１】  この発明は、サイホンの法則を利用し、水等の液体が高所から低所へ移動することを活用して送水し、発電することに関する。
【背景技術】
【０００２】  流体を高い所から低い所へ移動する際、上部液体にポンプの片方を浸して反対側から吸い出してサイホン管を形成して送水する。また、動力ポンプを使用して送水したり、上部の容器に取水装置を設けて水路を設けて落下送水する。また、動力ポンプのない地域では、水を容器に入れて長距離を運んでいる。
先に申請した整理番号Ｋ０１の
平成２０年５月９日付出願（申請）番号通知における
出願（申請）番号  特願２００８−１２０７１０
同年５月８日付識別番号通知における
識別番号  ５０８１３４１２０
の発明における不備不足を補完するものである。
類似する形態のポンプとして灯油ポンプがあるが、同ポンプには逆流を防ぐ止水用の弁はあるものの、ポンプ内に液体を停留させることができず、停止や再開が困難である。
本発明における発電装置に類似する形態の発電機は、取水管がないので、発電装置の設置場所が限定的となるうえサイホン管を形成し難い。また排水管等を延長することができず、総落差を大きくすることができないので、大きな水力を得にくい。また、ダム等に固定しており、移動が容易でない。
【発明の開示】
【発明が解決しようとする課題】
【０００３】  以上の技術によれば、長い距離の送水はなかなか容易にできないし、管の連結による延長もできない。
そこで、この発明は送水の失敗をなくすること、管を連結することによって送水距離を長くすること、また高低差を大きくすることによって送水威力を増加すること、送水の調節や停水ができること、設置や移動が容易になること、更に、労力、動力、エネルギーを少なくしてサイホン管を形成し、自然の力で送水することなど提供することを課題とする。
【課題を解決するための手段】
【０００４】  以上の課題を解決するために、第一発明は、取水管及び排水管からなる一連のサイホン管に空気出入装置を設けることを特徴とする送水装置である。第二発明は同装置の各装置にサイホン管として系統連結できる連結装置を設ける。第三発明は空気出し入れ装置にセンサー装置を設ける。第四発明は各装置に止水通水装置を設ける。第五発明は注水管の注水口にフロート式注水装置を設ける。第一発明から第四発明の一連のサイホン管に発電用回転体装置を系統連結する。
【発明の効果】
【０００５】  サイホン管を形成することが容易になり、作動の失敗をなくすことができる。別の場所でサイホン管の中に液体を満たして作動準備をし、移動して現場で作動を開始することができる。
送水することに関して、必要な時に送水や停水、止水を実施することができ、構造も簡素になる。また、連結装置でどこまでも延長することができたり、排水管の出口を低くすることによって送水威力が増加する。また、同発電装置に連結する発電機の設置場所を河川沿いの丘、ダム等の上あるいは下など設置場所の選択幅が広がる。既存のダム等に取水設備を設けたり、固定する必要はなく、取水管の取水口を水中に没することで送水の作動を開始させることができる。
各装置を分離することができる為、移動や移設が容易にでき、河川氾濫等の被災を回避することができたり、緊急に装置を設置し、送水、発電をすることができる。
【発明を実施するための最良の形態】
【０００６】  取水管及び排水管に止水通水装置及び系統連結装置を設け、センサー付きの空気出入れ装置を設けることでサイホンの法則を成立させ、継続することができる。その一連のサイホン管に発電用の回転体を連結することによって発電する。
この発明の一実施形態を、図面１、図面４及び図面５に示す。【０００７】  「実施形態の効果」
この実施形態によれば、送水を開始するに際し、サイホン管に液体を事前に充填すること、注水したり、空気を排出することによって送水の準備及び開始をすることができる。また送水を停止したり再開したりすることが容易になる。同一連の装置に発電用の回転体を系統連結することによって発電することができる。また、各装置が分離が容易である為、据付及びメンテナンスが容易になる。【０００８】  「他の実施形態」
図１の実施形態では、水頭の高低差が小さい場合や送水管の径が小さい場合には送水威力が小さい。また、管が延長されて長くなっても送水威力が小さくなる。
他の実施形態では、送水威力を高める必要がある場合には複数の管を系統連結する。また、既存の動力ポンプと連結あるいは併用することによって、サイホンの法則を作動させることができ、より多く送水量を増やすことができる。
【図面の簡単な説明】
【０００９】
【図１】  取水管及び排水管からなる一連のサイホン管に空気出入装置及び系統連結できる連結装置を設けた図であり、この発明の基本的な一実施形態を示す図である。
【図２】  取水管及び排水管に空気出入装置、連結装置、止水通水装置及びセンサーを設けた一実施形態を示す図である。
【図３】  一連のサイホン管に発電装置を設置した図である。
【図４】  一連のサイホン管の取水管側に発電装置を設置した図である。ダム、土手又は堰の上を送水する過程で発電する図である。
【図５】  一連のサイホン管の発電装置を設置した図であるが、川沿いの土手等に発電装置を設置する図である。
【図６】  図４の一連のサイホン管の排水管を延長して長くし、総落差を大きくし、サイホン管の取水口側又は排水口側に発電装置を設置した図である。
【図７】  図５の一連のサイホン管の排水管を延長して長くし、総落差を大きくし、サイホン管の取水口側又は排水口側に発電装置を設置した図である。
【符号の説明】
【００１０】▲１▼取水管  ▲２▼排水管  ▲３▼空気出入装置  ▲４▼連結装置
▲５▼止水通水装置  ▲６▼センサー  ▲７▼フロート式注水装置  ▲８▼発電装置
【図１】
2014080839.tif 000003
【図２】
2014080839.tif 000004
【図３】
2014080839.tif 000005
【図４】
2014080839.tif 000006
【図５】
2014080839.tif 000007
【図６】
2014080839.tif 000008
【図７】
2014080839.tif 000009